(57)【要約】【課題】内外２重の袋構造を備えた袋体の内袋が外袋内で位置ズレすることを防止すること。【解決手段】内袋２０と外袋１０の内外２重の袋構造を備えた袋体２であり、内袋２０に取り付けられた革紐３０と、外袋１０に形成された通し孔１５と、を有する。革紐３０が通し孔１５から外袋１０の外部に通された構成とされている。【選択図】図１
2017079837.tif 000002
【特許請求の範囲】
【請求項１】
内袋と外袋の内外２重の袋構造を備えた袋体であって、
前記内袋に取り付けられた紐部材と、
前記外袋に形成された通し孔と、を有し、
前記紐部材が前記通し孔から前記外袋の外部に通された構成とされている袋体。
【請求項２】
請求項１に記載の袋体であって、
前記紐部材が前記内袋に対して着脱可能に取り付けられている袋体。
【請求項３】
請求項２に記載の袋体であって、
前記内袋に前記紐部材を挿通することのできるループ部が設けられており、
前記紐部材が前記ループ部への挿通により前記内袋に取り付けられている袋体。
【請求項４】
請求項３に記載の袋体であって、
前記外袋に形成された前記通し孔が、前記紐部材の前記ループ部から通し出される位置に対応する位置に形成されている袋体。
【請求項５】
請求項３又は請求項４に記載の袋体であって、
前記ループ部が前記内袋の袋形状の一部を兼ねる外形形状とされている袋体。
【請求項６】
請求項３から請求項５のいずれかに記載の袋体であって、
前記ループ部が前記内袋の角部に設けられている袋体。
【請求項７】
請求項６に記載の袋体であって、
前記ループ部が前記内袋の袋形状の角部を成す台形形状に形成されて、前記紐部材が前記ループ部の台形の対向する脚辺間に挿通されている袋体。
【請求項８】
請求項３から請求項７のいずれかに記載の袋体であって、
前記紐部材は、前記ループ部に挿通された両側の端部が前記外袋に形成された前記通し孔から外部に通し出されている袋体。
【発明の詳細な説明】
【技術分野】
【０００１】
本発明は、袋体に関する。詳しくは、内袋と外袋の内外２重の袋構造を備えた袋体に関する。
【背景技術】
【０００２】
従来、発泡ビーズ等の詰め物の封入された内袋が、外袋となるカバー袋内に収容された内外２重の袋構造を備えたクッションが知られている（特許文献１）。
【先行技術文献】
【特許文献】
【０００３】
【特許文献１】実用新案登録第３０９８９８８号公報
【発明の概要】
【発明が解決しようとする課題】
【０００４】
上記従来技術では、内袋が外袋内で位置ズレすることにより、クッションの使用感が損なわれてしまうおそれがある。本発明は、上記問題を解決するものとして創案されたものであって、本発明が解決しようとする課題は、内外２重の袋構造を備えた袋体の内袋が外袋内で位置ズレすることを防止することにある。
【課題を解決するための手段】
【０００５】
上記課題を解決するために、本発明の袋体は次の手段をとる。
【０００６】
第１の発明は、内袋と外袋の内外２重の袋構造を備えた袋体であり、内袋に取り付けられた紐部材と、外袋に形成された通し孔と、を有する。紐部材が通し孔から外袋の外部に通された構成とされている。
【０００７】
この第１の発明によれば、内袋に取り付けられた紐部材が外袋に形成された通し孔に通されることにより、内袋の外袋に対する移動が規制される。したがって、このような簡単な構成により、内袋の外袋内での位置ズレを適切に防止することができる。
【０００８】
第２の発明は、上述した第１の発明において、次の構成とされているものである。紐部材が内袋に対して着脱可能に取り付けられている。
【０００９】
この第２の発明によれば、紐部材のメンテナンスや取り換えを簡便に行うことができる。また、紐部材を取り外した形で袋体を使用することもでき、袋体の使用スタイルにバリエーションを持たせることができる。
【００１０】
第３の発明は、上述した第２の発明において、次の構成とされているものである。内袋に紐部材を挿通することのできるループ部が設けられている。紐部材がループ部への挿通により内袋に取り付けられている。
【００１１】
この第３の発明によれば、紐部材の内袋に対する取り付けや取り外しを簡便に行えるようになる。また、紐部材の取り付け箇所に結び目ができないため、袋体の使用性を損なわずに紐部材を内袋に取り付けることができる。
【００１２】
第４の発明は、上述した第３の発明において、次の構成とされているものである。外袋に形成された通し孔が、紐部材のループ部から通し出される位置に対応する位置に形成されている。
【００１３】
この第４の発明によれば、紐部材の内袋に対する付け根の部分が外袋の通し孔と係合する構成となるため、内袋の外袋内での位置ズレをより適切に防止することができる。
【００１４】
第５の発明は、上述した第３又は第４の発明において、次の構成とされているものである。ループ部が内袋の袋形状の一部を兼ねる外形形状とされている。
【００１５】
この第５の発明によれば、紐部材の取り付けられるループ部を、内袋から出っ張らせない形に設けることができる。したがって、袋体の使用性を損なわずに紐部材を内袋に取り付けることができる。
【００１６】
第６の発明は、上述した第３から第５のいずれかの発明において、次の構成とされているものである。ループ部が内袋の角部に設けられている。
【００１７】
この第６の発明によれば、内袋において、形状に出っ張りが現れる角部に、同じく出っ張りとなる紐部材が取り付けられることで、出っ張り形状が集約されて、他の出っ張りのない袋面を広く形成できるようになる。
【００１８】
第７の発明は、上述した第６の発明において、次の構成とされているものである。ループ部が内袋の袋形状の角部を成す台形形状に形成されて、紐部材がループ部の台形の対向する脚辺間に挿通されている。
【００１９】
この第７の発明によれば、紐部材を内袋の角の立つ部分に角を横切るように設けられたループ部に対して簡便に通せるようになる。
【００２０】
第８の発明は、上述した第３から第７のいずれかの発明において、次の構成とされているものである。紐部材は、ループ部に挿通された両側の端部が外袋に形成された通し孔から外部に通し出されている。
【００２１】
この第８の発明によれば、紐部材の両側の端部を外袋の外部へ通し出すことで、紐部材を結ぶことなくループ部から抜けにくい形に保持することができる。
【図面の簡単な説明】
【００２２】
【図１】実施例１の袋体の適用されたクッションの概略構成を表す斜視図である。
【図２】クッションを傾斜台状の形に変化させた状態を表す斜視図である。
【図３】クッションをお手玉状の形に変化させた状態を表す斜視図である。
【図４】外袋を可視化して表した内袋の構成図である。
【図５】図４のV-V線断面図である。
【図６】図４のVI-VI線断面図である。
【図７】ループ部の内袋への取り付け方法を説明する斜視図である。
【図８】紐部材のループ部への挿通方法を説明する斜視図である。
【発明を実施するための形態】
【００２３】
以下に、本発明を実施するための形態について、図面を用いて説明する。
【実施例１】
【００２４】
＜袋体２の概略構成について＞
始めに、実施例１の袋体２の適用されたクッション１の構成について、図１〜図８を用いて説明する。本実施例の袋体２は、図１に示すように、家庭のリビングルームやラウンジなどに置かれて使用されるクッション１に適用されている。上記クッション１は、１辺が１３５ｃｍの略正方形の厚物布団として構成されている。上記クッション１は、可撓性に富んだ内外２重の袋構造から成る袋体２と、袋体２の内部に封入された流動性に富む無数の細かい発泡ビーズ３と、によって概略構成されている。上記袋体２の四隅には、結び紐として使用することのできる革紐３０が２本ずつ繰り出された状態となって取り付けられている。ここで、上記各革紐３０が本発明の「紐部材」に相当する。
【００２５】
上記クッション１は、このような構成となっていることにより、図１に示すように全体を平らに寝かせて寝転がり時の凭れとして使用することができるようになっている他、次のようにも様々に形を変えて使用することができるようになっている。
【００２６】
すなわち、例えばクッション１のいずれかの隣り合う角部同士を互いに引き寄せて各々の革紐３０同士を互いに結び付けることにより、図２に示すようにクッション１の片側の領域部のみを厚手状の形に絞り込んだ状態にして、クッション１全体を斜めに凭れ掛かることのできる傾斜台状の形に変化させることができるようになっている。また、クッション１の残るもう片方の角部同士も互いに引き寄せてそれらの革紐３０同士を互いに結び付けることにより、図３に示すようにクッション１の同側の領域部も厚手状の形に絞り込んだ状態にして、クッション１全体を略立方体状のお手玉形状に変化させることができるようになっている。このように、クッション１をお手玉状の形に変えることにより、クッション１をインテリアとして楽しむことができる形にすることができる他、使用者がクッション１の上部に座る椅子としても活用することができるように形態を変えられるようになっている。
【００２７】
また、上述したクッション１は、上記各図に示した様々な形に形状が変えられたとしても、各状態において床面と接触する部分が、床面の形に合わせて袋体２を柔軟に撓ませたり発泡ビーズ３を柔軟に流動させたりすることで、床面上に広く面接触して自立可能な形状状態をとることができるようになっている。また、上記クッション１は、上記のように様々に形状が変えられたとしても、各状態において、使用者の身体を感触のよい適切な支持圧で柔らかく包み込むように受け止めることができるようになっている。
【００２８】
具体的には、上記クッション１の快適な支持性能は、上述した袋体２が、使用者からの体圧を受けることで柔軟に撓むことのできる可撓性と、使用者の身体を床面上に底付きさせるまでは伸びない伸張しにくさと、を備えた構成となっていることにより発揮されるようになっている。また、発泡ビーズ３が、使用者からの体圧を受けることにより柔軟に流動することのできる流動性と、使用者の身体を床面上に底付きさせない程度に袋体２の内部に詰め込まれた充填密度と、を備えた構成となっていることによっても、上述したクッション１の快適な支持性能が発揮されるようになっている。
【００２９】
上述した袋体２は、図４に示すように、上述した発泡ビーズ３の封入された略正方形状の内袋２０と、内袋２０を外側から被覆する略正方形状の外袋１０と、を備える内外２重の袋構造を備えた構成とされている。また、上述した袋体２の四隅に取り付けられた各革紐３０は、詳しくは、上述した内袋２０の四隅に取り付けられた各革紐３０が、同外袋１０の四隅に形成された各通し孔１５から外側へ通し出されることにより、袋体２の外部に繰り出された状態とされて設けられている。より詳しくは、上述した各革紐３０は、上述した内袋２０の四隅に対し、同四隅に設けられた各ループ部２５に挿通されただけの取り付けとされており、各ループ部２５に挿通された両側の端部が外袋１０の対応する各通し孔１５からそれぞれ外部へと通し出されることにより、外袋１０の四隅に繰り出された状態として設けられている。
【００３０】
上記のように繰り出された各革紐３０は、それらの内袋２０の各ループ部２５に通されている根元側の各曲返し部分が、それぞれ、それらの弾性的な復元力に抗して外袋１０の各通し孔１５内に窄められた形で通された状態とされている。このような構成となっていることにより、各革紐３０は、それらの外袋１０の外部に繰り出された各端部が、内袋２０の自重作用等による引き込み作用によって外袋１０の各通し孔１５内に引き込まれたり、内袋２０の各ループ部２５内に引き込まれてすり抜けてしまったりすることがないように、外袋１０の各通し孔１５との接触による摺動摩擦抵抗によって適度に位置保持されるようになっている。
【００３１】
＜袋体２の各部の具体的な構成について＞
以下、上述した袋体２の各部の具体的な構成について詳しく説明していく。先ず、外袋１０の構成について説明する。外袋１０は、図１〜図６に示すように、略正方形状を成すファブリック製の第１外カバーピース１１と、同じく略正方形状を成す皮革製の第２外カバーピース１２と、が互いに１枚の袋形状を成す形に周縁部同士が縫合されて形成されている（縫合部１３）。上記第１外カバーピース１１と第２外カバーピース１２との縫合は、互いの周縁部同士の位置合わせされた正方形の３辺では直接縫合される形で行われているが、残る１辺では線ファスナ１４を介して縫合された状態とされている。上記外袋１０の１辺が線ファスナ１４を介して縫合されていることにより、線ファスナ１４の開閉操作によって外袋１０の１辺を開口させたり閉鎖させたりすることができるようになっている。
【００３２】
したがって、上記線ファスナ１４の開き操作によって外袋１０の１辺を開口させることにより、この開口から内袋２０を中に詰め込んだり中から取り出したりすることが簡便に行えるようになっている。上記外袋１０は、上記線ファスナ１４の縫合の後、先に全体が裏向きに返された形の状態で、上述した正方形の３辺が縫合されている。そして、上記外袋１０は、上記縫合後に、上述した線ファスナ１４の開口から表向きに返されることによって、上述した各縫合部１３の縫い目が袋内に隠された形に仕上げられた状態とされている。
【００３３】
上述した外袋１０の四隅には、それぞれ、角部が面取りされる形に空けられた通し孔１５が形成されている。これら通し孔１５は、上述した第１外カバーピース１１と第２外カバーピース１２との各四隅がそれぞれ裏側へ折り返されて面取りされた形に縫合されていて、これら折り返された各角部が上記縫合部１３の縫合時に縫い付けられることなく開放された形に残されることにより、袋の内外に開口する貫通孔として形成された状態とされている。上述した各通し孔１５は、上述した各革紐３０をそれぞれ２本ずつスムーズに通すことができる程度に開口する開口幅を有した形に形成されている。
【００３４】
内袋２０は、略正方形状を成す不織布製の第１内カバーピース２１と、同じく略正方形状を成す不織布製の第２内カバーピース２２と、が互いに１枚の袋形状を成す形に周縁部同士が縫合されて形成されている（縫合部２３）。上記第１内カバーピース２１と第２内カバーピース２２との縫合は、互いの周縁部同士の位置合わせされた正方形の３辺では直接縫合される形で行われているが、残る１辺では線ファスナ２４を介して縫合された状態とされている。上記内袋２０の１辺が線ファスナ２４を介して縫合されていることにより、線ファスナ２４の開閉操作によって内袋２０の１辺を開口させたり閉鎖させたりすることができるようになっている。
【００３５】
したがって、上記線ファスナ２４の開き操作によって内袋２０の１辺を開口させることにより、この開口から発泡ビーズ３を袋内に詰め込んだり取り出したりすることが簡便に行えるようになっている。上記内袋２０は、上記線ファスナ２４の縫合の後、先に全体が裏向きに返された形の状態で、上述した正方形の３辺が縫合されている。そして、上記内袋２０は、上記縫合後に、上述した線ファスナ２４の開口から表向きに返されることによって、上述した各縫合部２３の縫い目が袋内に隠された形に仕上げられた状態とされている。
【００３６】
上述した内袋２０の四隅には、それぞれ、１枚の皮革材が台形形状に２つ折りされて形成されたループ部２５が表裏側から挟まれた状態にセットされて縫合されている（縫合部２５Ｂ）。上述した各ループ部２５は、図７に示すように、それぞれ、１枚の面状材が、２つ折りによって上述した四隅の形に合致する台形形状となるようにカットされて形成されている。詳しくは、上述した各ループ部２５は、それぞれ、それらの２つ折りによって、台形の頭側の辺が繋ぎ辺となる２重の台形形状に折り重ねられる形にカットされた形状とされている。
【００３７】
上記各ループ部２５は、それぞれ、上述した内袋２０の四隅に対し、第１内カバーピース２１と第２内カバーピース２２とを表裏両側から挟み込むように各隅部の形に沿った台形形状に２つ折りされた状態にセットされて、それらの内袋２０の四隅を挟み込んでいる根元側部分がそれぞれ内袋２０と縫合されて取り付けられた状態とされている（縫合部２５Ｂ）。上述した取り付けにより、各ループ部２５は、内袋２０の四隅と形状を重ね合わされる形にセットされて、四隅の形状を兼ねる形に設けられた状態とされている。そして、各ループ部２５は、それらの台形部分の対向する各脚辺２５Ａ（斜辺）間に、それぞれ、革紐３０を通すことのできるループ形状を形成した状態とされるようになっている。
【００３８】
上記構成の各ループ部２５に対して、各革紐３０は、次のように取り付けられている。すなわち、図８に示すように、上述した各革紐３０は、上述した各ループ部２５に対して、各々の台形部分の対向する各脚辺２５Ａ（斜辺）のうちのどちらか一方の開口から他方の開口へと通されることにより、それらの中間部箇所が各ループ部２５に引掛けられた状態として取り付けられた状態とされる。そして、上記各ループ部２５に通された各革紐３０は、図４に示すように、内袋２０が外袋１０内に詰め込まれた後、外袋１０の対応する四隅に形成された各通し孔１５からそれらの両端を通し出すことにより、それらの両端が外袋１０の四隅から繰り出された状態として設けられるようになっている。
【００３９】
その際、各革紐３０は、それらの通された内袋２０の各ループ部２５と、外袋１０の対応する各通し孔１５と、がそれぞれ各袋２０，３０の互いに内外に位置合わせされる四隅の位置に設けられていることから、各ループ部２５から短い繰り出し長さで外袋１０の対応する各通し孔１５から外部に通し出されるようになっている。したがって、各革紐３０は、それらの各ループ部２５に通されている根元側の各曲返し部分が、それらの弾性的な復元力に抗して外袋１０の各通し孔１５内に押し窄められた形に保持された状態として、各通し孔１５内に引き込まれることがないように互いの接触による摺動摩擦抵抗により位置保持されるようになっている。
【００４０】
以上のように、内袋２０の四隅に通された各革紐３０が、外袋１０の四隅に形成された各通し孔１５から外側へ通されて位置保持されていることにより、これら革紐３０を介して外袋１０の四隅が内袋２０の四隅に係合された状態となる。これにより、内袋２０が外袋１０内で位置ズレすることが適切に防止されて、良好な使用感を維持することができる。また、袋体２に何らかの外力が加わって内袋２０が外袋１０内で位置ズレしたり沈み込んだりして各革紐３０の一部が外袋１０の各通し孔１５内に引き込まれてしまうことがあっても、各革紐３０を再び各通し孔１５から引っ張り出すように操作することにより、再び内袋２０の四隅を外袋１０の四隅に位置付けるように補正することができる。したがって、上記のような簡単な操作によって袋体２の位置ズレを簡便に補正することができ、各革紐３０の引張りや結びによってクッション１の形を便利に整えたり変更したりして使用することができる。
【００４１】
＜まとめ＞
以上をまとめると、本実施例の袋体２は、次のような構成となっている。すなわち、内袋２０と外袋１０の内外２重の袋構造を備えた袋体２であり、内袋２０に取り付けられた紐部材（革紐３０）と、外袋１０に形成された通し孔１５と、を有する。紐部材（革紐３０）が通し孔１５から外袋１０の外部に通された構成とされている。このような構成となっていることにより、内袋２０に取り付けられた紐部材（革紐３０）が外袋１０に形成された通し孔１５に通されることで、内袋２０の外袋１０に対する移動が規制される。したがって、このような簡単な構成により、内袋２０の外袋１０内での位置ズレを適切に防止することができる。
【００４２】
また、紐部材（革紐３０）が内袋２０に対して着脱可能に取り付けられている。このような構成となっていることにより、紐部材（革紐３０）のメンテナンスや取り換えを簡便に行うことができる。また、紐部材（革紐３０）を取り外した形で袋体２を使用することもでき、袋体２の使用スタイルにバリエーションを持たせることができる。
【００４３】
また、内袋２０に紐部材（革紐３０）を挿通することのできるループ部２５が設けられている。紐部材（革紐３０）がループ部２５への挿通により内袋２０に取り付けられている。このような構成となっていることにより、紐部材（革紐３０）の内袋２０に対する取り付けや取り外しを簡便に行えるようになる。また、紐部材（革紐３０）の取り付け箇所に結び目ができないため、袋体２の使用性を損なわずに紐部材（革紐３０）を内袋２０に取り付けることができる。
【００４４】
また、外袋１０に形成された通し孔１５が、紐部材（革紐３０）のループ部２５から通し出される位置に対応する位置に形成されている。このような構成となっていることにより、紐部材（革紐３０）の内袋２０に対する付け根の部分が外袋１０の通し孔１５と係合する構成となるため、内袋２０の外袋１０内での位置ズレをより適切に防止することができる。
【００４５】
また、ループ部２５が内袋２０の袋形状（略正方形の袋形状）の一部を兼ねる外形形状とされている。このような構成となっていることにより、紐部材（革紐３０）の取り付けられるループ部２５を、内袋２０から出っ張らせない形に設けることができる。したがって、袋体２の使用性を損なわずに紐部材（革紐３０）を内袋２０に取り付けることができる。
【００４６】
また、ループ部２５が内袋２０の角部に設けられている。このように、内袋２０において、形状に出っ張りが現れる角部に、同じく出っ張りとなる紐部材（革紐３０）が取り付けられることで、出っ張り形状が集約されて、他の出っ張りのない袋面を広く形成できるようになる。
【００４７】
また、ループ部２５が内袋２０の袋形状の角部を成す台形形状に形成されて、紐部材（革紐３０）がループ部２５の台形の対向する脚辺２５Ａ間に挿通されている。このような構成となっていることにより、紐部材（革紐３０）を内袋２０の角の立つ部分に角を横切るように設けられたループ部２５に対して簡便に通せるようになる。
【００４８】
また、紐部材（革紐３０）は、ループ部２５に挿通された両側の端部が外袋１０に形成されたいずれかの通し孔１５から外部に通し出されている。このような構成となっていることにより、紐部材（革紐３０）の両側の端部を外袋１０の外部へ通し出すことで、紐部材（革紐３０）を結ぶことなくループ部２５から抜けにくい形に保持することができる。
【００４９】
また、袋体２は、外袋１０と内袋２０とが互いに形状の合致する矩形状（略正方形状）の形に形成されて、紐部材（革紐３０）が内袋２０の角部に取り付けられて同外袋１０の角部に形成された通し孔１５から外部に通し出された構成となっている。このような構成となっていることにより、内袋２０と外袋１０との互いに形状が嵌合されやすい、すなわち位置ズレの起こりにくい角部間において、紐部材（革紐３０）の引張り方向が内袋２０の角部を外袋１０の角部に嵌合させる方向に働くように紐部材（革紐３０）を設定することができる。したがって、紐部材（革紐３０）の引張り操作による位置ズレの補正を簡便かつスムーズに行うことができる。
【００５０】
＜その他の実施形態について＞
以上、本発明の実施形態を１つの実施例を用いて説明したが、本発明は上記実施例のほか各種の形態で実施することができるものである。例えば、本発明の袋体は、上記実施例で示したようなクッションへの適用以外にも、自動車等の乗物用に供されるシートや内装トリムのカバー、各種ソファやベッド等の家具やインテリアのカバー等、内袋と外袋の内外２重の袋構造を備える袋体を備える構成であれば、様々な用途に適用することができるものである。上記袋体によって包まれる詰め物は、発泡ビーズの他、綿やウレタン等の柔軟な構造物の他、パネルやフレーム等の硬質な構造物であってもよい。
【００５１】
また、上記袋体の形状は、上記実施例で示したような略正方形状に限らず、円形状や多角形状、各種の異形状から成るものであってもよい。また、内袋と外袋とで互いの形状が異なるものであってもよい。また、内袋と外袋の材質は、上記実施例で示したファブリック材や不織布や皮革材に限定されず、種々の材質から成るものであってもよい。また、内袋と外袋とで互いの材質が異なるものであってもよい。また、内袋に取り付けられる紐部材の材質も、皮革製のものに限らず、ファブリック製等の種々の材質から成るものであってもよい。
【００５２】
また、紐部材は、内袋に縫着されるなどして一体的に取り付けられるものであってもよい。また、紐部材は、内袋に設けたループ部に通されることで着脱可能に取り付けられるものの他、ボタンや面ファスナ等の他の着脱可能な結合手段を用いて内袋に着脱可能に取り付けられるものであってもよい。また、紐部材は、内袋の角部に限らず、中央面や周囲側面等、種々の箇所に取り付けることができるものである。
【００５３】
また、紐部材は、内袋に対して少なくとも１箇所において取り付けられていればよく、２箇所以上の多数箇所に取り付けられていてもよい。また、紐部材がループ部に通されて取り付けられるものにおいて、紐部材の通された一方側の端部と他方側の端部とが、外袋に形成された互いに異なる通し孔から外部に通し出されるようになっていてもよい。上記紐部材は、横断面が薄板状となる帯状の構成から成るものであってもよく、横断面が円形状や中空断面形状から成るもの等、種々の横断面形状から成るものであってもよい。外袋に形成される対応する通し孔も、種々の形から成るものを適用することができるものである。
【００５４】
また、ループ部は、内袋の袋形状の一部を兼ねるように設けられるものに限らず、内袋の袋形状に外付けされるように張り出した形で設けられるものであってもよい。また、ループ部は、面状材を二つ折りして内袋に繋ぐことでループ状となる構成に限らず、紐部材を通せるループ部を有する形状とされたものが内袋に取り付けられて成るものであってもよい。また、ループ部は、内袋の一部に紐部材を通せる孔を空けることで形成したものであってもよい。上記ループ部の紐部材の通される方向は、内袋の袋面の面内方向であっても面外方向であっても構わず、どのような方向に設定されていても構わない。
【００５５】
また、上記実施例では、外袋と内袋の両方に、内蔵物の詰め込みや取り出しを簡便に行えるように線ファスナを取り付けた構成を例示したが、線ファスナの他、ボタンや面ファスナによって開け閉め可能な開閉口を設定してもよい。または、外袋と内袋は、それぞれ、開閉口を設けず、縫い閉じた構成としても構わない。
【符号の説明】
【００５６】
１      クッション
２      袋体
３      発泡ビーズ
１０    外袋
１１    第１外カバーピース
１２    第２外カバーピース
１３    縫合部
１４    線ファスナ
１５    通し孔
２０    内袋
２１    第１内カバーピース
２２    第２内カバーピース
２３    縫合部
２４    線ファスナ
２５    ループ部
２５Ａ  脚辺
２５Ｂ  縫合部
３０    革紐（紐部材）
【図１】
2017079837.tif 000003
【図２】
2017079837.tif 000004
【図３】
2017079837.tif 000005
【図４】
2017079837.tif 000006
【図５】
2017079837.tif 000007
【図６】
2017079837.tif 000008
【図７】
2017079837.tif 000009
【図８】
2017079837.tif 000010